【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
システム（１０）は、ガスタービンエンジン（１２）を含み、
前記ガスタービンエンジン（１２）は、
コンプレッサ（１８）と、
タービン（２２）と、
ケーシング（７４）と、
ローター（３８）であって、前記ケーシング（７４）および前記ローター（３８）は、前記コンプレッサ（１８）と前記タービン（２２）との間に配置され、前記ケーシング（７４）および前記ローター（３８）は、前記コンプレッサ（１８）から流体の流れを受け取るためのキャビティ（７６）を規定するローター（３８）と、
前記コンプレッサ（１８）の後方に配置されるディフューザ（３４）であって、前記ディフューザ（３４）は、前記コンプレッサ（１８）から前記流体の流れを受け取るように構成され、前記ディフューザ（３４）は、前記コンプレッサ（１８）に近い第１の入口（４２）および前記コンプレッサ（１８）から遠い第１の出口（４３）を含むディフューザ（３４）と、
少なくとも１つのインデューサ（２９）を含むインデューサアセンブリ（３２）と、を含み、前記少なくとも１つのインデューサ（２９）は、前記キャビティ（７６）内に前記流体の流れを導くように構成される流路（３５）を含み、前記流路（３５）は、前記流体の流れを受け取るように構成される第２の入口（３１）および前記キャビティ（７６）内に前記流体の流れを直接放出するように構成される第２の出口（３３）を含み、前記第２の入口（３１）と前記第２の出口（３３）は、前記ディフューザ（３４）の前記第１の出口（４３）の前方に軸方向に配置されるシステム（１０）。
【請求項２】
前記ディフューザ（３４）は、第１の壁（３６）および第２の壁（３７）によって規定され、前記第１の壁（３６）は、前記第２の壁（３７）よりも、前記ガスタービンエンジン（１２）の縦軸のより近くに半径方向に配置され、前記第１の壁（３６）は、前記ディフューザ（３４）と前記少なくとも１つのインデューサ（２９）との間に配置される、請求項１に記載のシステム（１０）。
【請求項３】
前記少なくとも１つのインデューサ（２９）の前記第２の入口（３１）および前記第２の出口（３３）は、前記第１の壁（３６）から前記ガスタービンエンジン（１２）の前記縦軸に向かって、半径方向内向きに配置される、請求項２に記載のシステム（１０）。
【請求項４】
前記少なくとも１つのインデューサ（２９）の前記第２の出口（３３）は、前記第１の壁（３６）の末端の前方に軸方向に配置され、前記第１の壁（３６）の前記末端は、前記第１の出口（４３）に隣接し、
前記少なくとも１つのインデューサ（２９）の前記第２の入口（３１）は、前記第１の壁（３６）の前記末端の前方に軸方向に配置される、請求項４に記載のシステム（１０）。
【請求項５】
前記少なくとも１つのインデューサ（２９）の前記第２の入口（３１）および前記第２の出口（３３）は、前記第１の壁（３６）と前記ガスタービンエンジン（１２）の前記縦軸との間に半径方向に配置される、請求項２に記載のシステム（１０）。
【請求項６】
前記少なくとも１つのインデューサ（２９）は、軸方向のインデューサ（２９）、軸方向から半径方向へのインデューサ（２９）、半径方向のインデューサ（２９）、半径方向から軸方向へのインデューサ（２９）、またはそれらの任意の組み合わせを含む、請求項１乃至５のいずれかに記載のシステム（１０）。
【請求項７】
前記少なくとも１つのインデューサ（２９）は、前記インデューサアセンブリ（３２）に一体化されるか、または前記インデューサアセンブリ（３２）から着脱可能である、請求項１乃至６のいずれかに記載のシステム（１０）。
【請求項８】
システム（１０）は、ガスタービンエンジン（１２）を含み、
前記ガスタービンエンジン（１２）は、
コンプレッサ（１８）と、
タービン（２２）と、
ケーシング（７４）と、
ローター（３８）であって、前記ケーシング（７４）および前記ローター（３８）は、前記コンプレッサ（１８）と前記タービン（２２）との間に配置され、前記ケーシング（７４）および前記ローター（３８）は、前記コンプレッサ（１８）から流体の流れを受け取るためのキャビティ（７６）を規定するローター（３８）と、
前記コンプレッサ（１８）の後方に配置されるディフューザ（３４）であって、前記ディフューザ（３４）は、前記コンプレッサ（１８）から前記流体の流れを受け取るように構成され、前記ディフューザ（３４）は、第１の壁（３６）および第２の壁（３７）によって規定され、前記第１の壁（３６）は、前記第２の壁（３７）よりも、前記ガスタービンエンジン（１２）の縦軸のより近くに半径方向に配置され、前記ディフューザ（３４）は、前記コンプレッサ（１８）に近い第１の入口（４２）および前記コンプレッサ（１８）から遠い第１の出口（４３）を含むディフューザ（３４）と、
少なくとも１つのインデューサ（２９）を含むインデューサアセンブリ（３２）と、を含み、前記第１の壁（３６）は、前記ディフューザ（３４）と前記少なくとも１つのインデューサ（２９）との間に配置され、前記少なくとも１つのインデューサ（２９）は、前記キャビティ（７６）内に前記流体の流れを導くように構成される流路（３５）を含み、前記流路（３５）は、前記流体の流れを受け取るように構成される第２の入口（３１）および前記キャビティ（７６）内に前記流体の流れを直接放出するように構成される第２の出口（３３）を含み、前記第２の入口（３１）および前記第２の出口（３３）は、前記第１の壁（３６）よりも、前記ガスタービンエンジン（１２）の前記縦軸のより近くに半径方向に配置され、前記第２の入口（３１）と前記第２の出口（３３）は、前記ディフューザ（３４）の前記第１の出口（４３）の前方に軸方向に配置されるシステム（１０）。
【請求項９】
前記少なくとも１つのインデューサ（２９）の前記第２の出口（３３）は、前記第１の壁（３６）の末端の前方に軸方向に配置され、前記第１の壁（３６）の前記末端は、前記第１の出口（４３）に隣接する、請求項８に記載のシステム（１０）。
【請求項１０】
前記少なくとも１つのインデューサ（２９）の前記第２の入口（３１）は、前記第１の壁（３６）の前記末端の前方に軸方向に配置される、請求項９に記載のシステム（１０）。
【請求項１１】
前記少なくとも１つのインデューサ（２９）の前記第２の入口（３１）および前記第２の出口（３３）は、前記第１の壁（３６）から前記ガスタービンエンジン（１２）の前記縦軸に向かって半径方向内向きに配置される、請求項８乃至１０のいずれかに記載のシステム（１０）。
【請求項１２】
ガスタービンエンジン（１２）のケーシング（７４）およびローター（３８）によって規定されるキャビティ（７６）内に流体の流れを導くように構成される流路（３５）を含む少なくとも１つのインデューサ（２９）を含み、前記流路（３５）は、前記ガスタービンエンジン（１２）のコンプレッサディフューザ（３４）から前記流体の流れを受け取るように構成される入口（３１）、および前記キャビティ（７６）内に前記流体の流れを直接放出するように構成される出口（３３）を含み、前記少なくとも１つのインデューサ（２９）は、前記第２の出口（３３）が前記コンプレッサディフューザ（３４）のディフューザ出口（４３）の前方に軸方向に配置されるように、前記ガスタービンエンジン（１２）内に配置されるように構成され、前記第２の入口（３１）と前記第２の出口（３３）は、前記ディフューザ（３４）の前記第１の出口（４３）の前方に軸方向に配置されるシステム（１０）。